(57)【要約】  輸送手段のための簡単化されたモバイルデータ通信装置（１０）は、データサーバ（１４）と、データサーバ（１４）に接続されたブロードバンドデータ通信インターフェース（１６）とを備える。データ通信装置（１０）は、データサーバ（１４）及びデータ通信インターフェース（１６）を完全に取り囲み、完全に密封可能な携帯用ハウジング（１２）を有する。
2015520538.tif 000002
【特許請求の範囲】
【請求項１】
データサーバ（１４）と、上記データサーバ（１４）に接続されたブロードバンドデータ通信インターフェース（１６）とを備えた輸送手段のためのモバイルデータ通信装置（１０）であって、
上記モバイルデータ通信装置（１０）は、上記データサーバ（１４）及び上記データ通信インターフェース（１６）を完全に取り囲み、完全に密封可能な携帯用ハウジング（１２）を備えるモバイルデータ通信装置（１０）。
【請求項２】
上記データサーバ（１４）は、オーディオデータ、ビデオデータ及び／又は電子取引データを含み、
上記各データは、上記データ通信インターフェース（１６）を介して伝送するため、電子形式で格納されることを特徴とする請求項１記載のモバイルデータ通信装置（１０）。
【請求項３】
上記データ通信インターフェース（１６）は、少なくとも３０個であって、好ましくは少なくとも５０個のＷＬＡＮ端末装置を有する、同時通信のためのブロードバンドＷＬＡＮインターフェースとして構成されることを特徴とする請求項１又は２記載のモバイルデータ通信装置（１０）。
【請求項４】
上記ハウジング（１２）は、
少なくとも１個の電圧源インターフェース（２４）、及び／又は
上記データサーバ（１４）及び上記データ通信インターフェース（１６）に供給するための少なくとも１個の再充電可能な充電池（２６）を備えることを特徴とする請求項１〜３のうちのいずれか１つに記載のモバイルデータ通信装置（１０）。
【請求項５】
上記データ通信装置は、上記データ通信インターフェース（１６）に接続され、インターネットへのリンクを確立するために構成された無線インターフェースを備えることを特徴とする請求項１〜４のうちのいずれか１つに記載のモバイルデータ通信装置（１０）。
【請求項６】
上記データ通信装置は、上記データサーバ（１４）及び／又は上記データ通信インターフェース（１６）に接続されたＧＰＳセンサ（２８）を備えることを特徴とする請求項１〜５のうちのいずれか１つに記載のモバイルデータ通信装置（１０）。
【請求項７】
上記データサーバ（１４）はＧＰＳセンサ（２８）によって検出されたデータ通信装置（１０）の位置を視覚化するためのソフトウェアを含み、
上記位置は、ユーザの端末装置（２２）上で可視化されることを特徴とする請求項６記載のモバイルデータ通信装置（１０）。
【請求項８】
上記ハウジング（１２）は、予め決められた音響信号を受信するとき、ユーザにデータ送信を中断するためのデータサーバ（１４）に接続されたマイクロホン（３０）を備えることを特徴とする請求項１〜７のうちのいずれか１つに記載のモバイルデータ通信装置（１０）。
【請求項９】
上記ハウジング（１２）は、耐熱性、防止性及び／又は衝撃吸収性の材料で形成されることを特徴とする請求項１〜８のうちのいずれか１つに記載のモバイルデータ通信装置（１０）。
【請求項１０】
上記モバイルデータ通信装置（１０）の使用は、輸送手段のモバイル装置としての使用である請求項１〜９のうちのいずれか１つに記載のモバイルデータ通信装置（１０）の使用。
【発明の詳細な説明】
【技術分野】
【０００１】
本発明は、輸送手段のためのデータ通信装置に関する。
【背景技術】
【０００２】
航空機、バス、電車又は船舶などの輸送手段では、例えば、旅行中において、乗客がビデオフィルムを見たり、音楽を聴いたり、インターネットサーフィンをすることを可能にするデータ通信装置がしばしば設けられている。各輸送手段でこのようなデータ通信装置の設置は複雑である。従来、ビデオモニタ、スピーカ、ヘッドホンコネクタ及び／又は操作パネルは、客席又は客室内に設けられ、それらの装置はそれぞれデータサーバに有線で接続されている。輸送手段におけるより最近のデータ通信装置では、乗客によって呼び出されるデータを保持するデータサーバは、例えばＷＬＡＮ規格に従って無線インターフェースを用いて接続され、これにより、乗客は、携帯電話機又はポータブルコンピュータ（タブレットＰＣ）のような、ユーザ自身のユーザ端末装置を介してデータサーバへのリンクを確立できる。いずれの場合も、データサーバと無線インターフェース、並びに必要な配線は、永久的に輸送手段に設置されている。
【発明の概要】
【発明が解決しようとする課題】
【０００３】
損傷又は誤動作は、例えばケーブル火災などの形式で、安全上のリスクとして輸送手段に影響を与える可能性がある。従って、従来のデータ通信装置は、航空機で使用される場合、特に、複雑な安全に関する承認手続きに合格する必要がある。
【０００４】
本発明の目的は、輸送手段のための簡単化されたデータ通信装置を提供することにある。
【課題を解決するための手段】
【０００５】
本発明のデータ通信装置は、請求項１記載の特徴によって定義される。
【０００６】
輸送手段のためのモバイルデータ通信装置は、データサーバと、上記データサーバに接続されたブロードバンド（広帯域）データ通信インターフェースと、ハウジングとを備える。上記ハウジングは完全に密閉することができ、それが携帯用（ポータブル）であって、上記データサーバ及びブロードバンドデータ通信インターフェースを収容する。上記データサーバは、上記ブロードバンドデータ通信インターフェースを介してユーザによって呼び出すことができるデータを格納する。例えば、これらのデータは、音楽などのオーディオデータ（音声データ）と、例えば映画などのビデオデータと、及び／又は、例えば輸送手段において購入（「ｅコマース」）するための電子取引データである。携帯電話機や携帯型コンピュータ等の端末装置を用いて、例えば、ユーザがデータ通信インターフェースへのデータリンクを確立することができ、サーバからの電子データを検索して取得する。この点で、ブロードバンドデータ通信インターフェースは、複数のデータリンクを同時に確立することができ、これにより、輸送手段における複数の乗客は上記データサーバにアクセスできる。そして、好ましくは、例えば少なくとも３０人、特に少なくとも５０人のユーザがデータサーバへのリンクを確立することができることが意図されている。
【０００７】
上記データ通信装置は、任意のケーブル接続又は機械的接続を行う必要がなく、輸送手段内の適当な位置に簡便に設置することができる。上記データ通信装置は、完全に内蔵型であり、当該装置を受けるための単に小さな位置決め面、もしくはホルダーを必要とする。上記ハウジングは、例えば輸送手段のオンボードのネットワークなどの電圧源ネットワークへの接続を行う電圧源インターフェースを備えて提供することができる。適当なケーブルが電圧源インターフェースに接続されたときに、上記電圧源インターフェースはデータサーバ及びデータ通信インターフェースに電源を供給する。
【０００８】
代替例として、もしくはさらに備える例として、上記データ通信装置は電池を備えることができ、具体的には、データサーバ及び／又はデータ通信インターフェースに対する電圧供給（電圧源）のために上記ハウジングにおいて再充電可能な充電池を備えることができる。充電池は、電圧源インターフェースを介して再充電することができる。
【０００９】
上記ハウジングは、インターネットリンクを確立するための無線インターフェースを有することが考えられる。無線インターフェースは、狭帯域インターフェースとして設計でき、もしくはＧＳＭ（登録商標）、ＧＰＲＳ、ＬＴＥ、ＷｉＭＡＸ又はＷＬＡＮの規格のいずれかに従って設計することができる。上記無線インターフェースは、少なくともデータサーバ又はデータ通信インターフェースに接続され、これにより、ユーザはまた上記ブロードバンドデータ通信インターフェースを介してインターネットにアクセスすることができる。これによって、輸送手段が対応する送信機の近くになると、インターネット接続を利用可能にすることができる。
【００１０】
データ通信インターフェースの各位置を自動的に検出するＧＰＳセンサを有するデータ通信装置をさらに備えることがさらに考えられる。ユーザはデータ通信インターフェースを介して、位置情報を呼び出すことができるであろう。
【００１１】
好ましくは、上記データサーバは、ＧＰＳセンサによって検出された位置に依存してユーザにデータ通信装置の現在位置を自動的に示すソフトウェアを含む。当該ソフトウェアは、データ通信インターフェースを介してアクセスすることができる。
【００１２】
上記ハウジングは、周囲雑音を収音し、予め決められた音響信号を受信したときに、ブロードバンド通信インターフェースを介してデータの再生又はデータの通信の中断を可能にするマイクロホンを含むことができる。例えば客室内で２チャンネル音声である、予め決められた信号の音響伝送を行うことにより、データの再生又はデータの送信は、乗客に対するアナウンスを行うために中断することができる。この目的のために、マイクロホンで収音された雑音に対する常駐の音声解析を行って、予め決められた信号を検出すると、データ送信又はデータの再生を中断するソフトウェアが、データサーバにインストールされている。さらに、アナウンスの終了を示す予め決められた信号が受信されると、データ送信又はデータの再生を継続することができる。
【００１３】
有利には、上記ハウジングは、耐熱性、防水性及び／又は衝撃吸収性の材料で形成されている。
【発明の効果】
【００１４】
例えば、長距離バス（コーチ）、航空機、列車、又は船などの輸送手段におけるモバイルデータ通信装置の使用は、乗客により電子的に呼び出すエンターテイメントのプログラムを簡単に提供することを可能にする。
【図面の簡単な説明】
【００１５】
【図１】本発明のデータ通信装置の概略図である。
【発明を実施するための形態】
【００１６】
以下、図を参照して、本発明の実施形態について詳細に説明する。
【００１７】
モバイルデータ通信装置１０は、ハウジング１２と、データサーバ１４と、データサーバ１４に接続されたブロードバンドデータ通信インターフェース１６とを備える。
【００１８】
ハウジング１２は、耐熱性、防水性、及び衝撃吸収性の材料で形成される。ハウジング１２の内部へのアクセスを可能にするために、当該ハウジング１２には、図示されていない閉鎖可能な開口部が設けられている。ハウジング１２は、データサーバ１４と、データ通信インターフェース１６を含む。ハウジング１２が無線受信と干渉しないように、ただ１つのＷＬＡＮ無線アンテナ１８はハウジング１２の外側に取り付けられている。データ通信インターフェースを使用して、例えばＷＬＡＮ機能を有する携帯電話機２０、もしくはＷＬＡＮ機能を有するポータブルコンピュータなどのユーザ端末装置２２は無線リンクを構築することができ、この無線リンクを介してデータサーバ１４に格納されたデータにアクセスすることができる。データサーバ１４は、データストリームとしてユーザ端末装置２０，２２に送信されるビデオ映画及び音楽を格納してもよく、端末装置２０，２２にデータを保存したり、もしくはデータサーバ１４上のデータを修正することが防止される。さらに、輸送手段におけるオンボードの製品を購入するための電子取引（「ｅコマース」）を可能にするプログラムをデータサーバ１４に格納することができる。
【００１９】
データ通信装置１０は、データサーバ及びデータ通信インターフェース１６に接続され、これらデータサーバ及びデータ通信インターフェース１６に電圧を供給する電圧源インターフェース２４を備える。電圧源インターフェース２４は、輸送手段のオンボードの電圧ネットワークに接続することができる。さらに、ハウジング１２は、電圧源インターフェース２４、データサーバ１４及びデータ通信インターフェース１６に接続された充電池（蓄電池）２６を収容する。充電池２６は、電圧源インターフェース２４を介して充電することができる。充電池２６は、データサーバ１４とデータ通信インターフェース１６に電力を供給する。
【００２０】
データ通信装置１０はさらに、データサーバ１４に接続されたＧＰＳセンサ２８を備えている。データサーバ１４は、いわゆる「移動マップ（ムービングマップ）」のソフトウェアを格納し、当該ソフトウェアはＧＰＳセンサ２８によって検出された位置に依存して、リアルタイムでマップにデータ通信装置１０の現在位置を転送する。当該マップは、それが表示されている端末装置２０，２２のいずれか１つにデータサーバ１４から送信される。これにより、各ユーザは、自分の端末装置２０，２２を介してリアルタイムで現在の位置、速度、進行方向やその他の走行データを追跡することができる。
【００２１】
また、外側に露出するマイクロホン３０はハウジング１２に設けられ、マイクロホン３０はハウジング１２の外部からの周囲雑音を受信する。マイクロホン３０は、周囲雑音を解析する音声認識ソフトウェアを備えているデータサーバ１４に接続される。データ通信装置の動作中に、音声認識ソフトウェアは、データが少なくともデータ通信インターフェース１６を介して送信されるときに、バックグラウンドで連続的に実行される。例えばある予め決められた２チャンネル音声信号などの予め決められた音響信号が受信されるときに、当該音声認識ソフトウェアはデータ伝送を中断させる。別の所定信号が受信されると、音声認識ソフトウェアはデータ送信を継続させる。輸送手段の乗組員は乗客に重要なアナウンスをする必要がある場合は、データ伝送の自動中断を行うことができ、これにより、端末装置２０，２２のユーザはアナウンスを聞くことができる。
2015520538.tif 000003
【国際調査報告】
2015520538.tif 000004
2015520538.tif 000005
2015520538.tif 000006
2015520538.tif 000007